(57)【特許請求の範囲】
【請求項１】
工事中の建物に仮設された工事用エレベーターの揚程を前記建物の建築進捗に合わせて上方に延長する工事用エレベーターの揚程延長工法において、
最初の計画階に建物の建築進捗が達するまで、工事中の建物内に乗りかごが昇降する昇降路および前記乗りかごを案内するガイドレールを構築する工程と、
建築進捗が前記最初の計画階に到達した後、工事用エレベーターの機械室として、前記昇降路に設けた前記ガイドレールに案内されて当該昇降路を移動可能なかご枠に巻上機と制御盤が予め設置されたかご型移動機械室を吊り上げて前記最初の計画階に配置し、前記かご型移動機械室に設置された巻上機に乗りかごと釣合おもりを吊持する主索を巻き掛けて工事用エレベーターを仮設する工程と、
前記工事用エレベーターを使用しながら建物の建築を進め、建築進捗が次の計画階に達するまで、前記昇降路およびガイドレールを次の計画階まで延伸させる工程と、
建築進捗が次の計画階に到達した後、前記かご型移動機械室に設けた吊り元から前記乗りかごを吊持し、乗りかごと釣合おもりを吊持する主索を取り外してから、揚重装置を利用して前記かご型移動機械室を乗りかごとともに吊り上げて昇降路内を前記次の計画階まで移動させ、当該かご型移動機械室を前記次の計画階に再配置し、前記巻上機に乗りかごと釣合おもりを吊持する主索を巻き掛け前記工事用エレベーターを再仮設する工程と、
建物の建築進捗に応じて、計画階が順次高くなるごとに、前記昇降路の延伸工程と、前記かご型移動機械室の再仮設工程を繰り返す工程と、
からなることを特徴とする工事用エレベーターの揚程延長工法。
【請求項２】
前記かご型移動機械室には、前記昇降路の乗りかごを案内するガイドレールに摺動自在な案内装置を設けることを特徴とする請求項１に記載の工事用エレベーターの揚程延長工法。
【請求項３】
前記かご型移動機械室を計画階に仮設するときには、前記ガイドレールの上端部を当該かご型移動機械室のかご上よりも上方に突き出るように延ばすことを特徴とする請求項２に記載の工事用エレベーターの揚程延長工法。
【請求項４】
前記かご型移動機械室は、前記巻上機が設置される下段の第１室と、前記巻上機を制御する主制御装置が設置される上段の第２室と、を有するダブルデッキ型のかご型移動機械室であることを特徴とする請求項１に記載の工事用エレベーターの揚程延長工法。
【請求項５】
前記かご型移動機械室は、前記第１室と第２室の間隔を調整する階間調整手段を有し、前記かご型移動機械室の第１室と第２室にそれぞれ対応する階床の間隔が前の計画階と次の計画階とで相違し、前記第１室または第２室と次の計画階の得階床との間に段差が生じる場合には、前記階間調整手段により前記段差を解消することを特徴とする請求項４に記載の工事用エレベーターの揚程延長工法。
【発明の詳細な説明】
【技術分野】
【０００１】
本発明の実施形態は、仮設している工事用エレベーターの揚程を建物の建築工事の進捗に合わせて、延長していく工事用エレベーターの揚程延長工法に関する。
【背景技術】
【０００２】
高層ビルあるいは超高層ビルの建築工事現場では、計画した最上階まで建物の鉄骨が組み上がるのを完了してからエレベーターを据え付けるのではなく、鉄骨が途中階まで立ち上がった段階で、工事用エレベーターを仮設している。工事用エレベーターは、建築工事現場において工事に従事する作業者や工事に必要な資材を効率良く搬送するために必要不可欠な設備である。
【０００３】
工事用エレベーターを仮設した後、建物の方は工事の進行に伴ってどんどん高くなっていくので、建築工事の進捗に合わせて、エレベーターの揚程を高くしていく必要がある。従来の工事用エレベーターの揚程延長方法としては、例えば、特許文献１、２に提案されているものがある。
【０００４】
ここで、図８は、従来の一般的な工事用エレベーターの揚程延長方法の工程を示す図である。この図８において、参照番号１０は、工事中の建物の鉄骨に構築したエレベーターの昇降路をしている。この図８に示した工事用エレベーター例では、現段階のエレベーター乗場は、Ｆ１、Ｆ２、…Ｆｍ階まで設置されているものとする。
【０００５】
各エレベーター乗場Ｆ１、Ｆ２、…Ｆｍには、乗場扉や、かご呼び登録装置などの乗場機器１１が設置されている。現段階での建物の計画階である最上階には、仮設機械室１２が設置されている。この仮設機械室１２には、エレベーターの主制御盤１３、仮設用の巻上機１４、そらせシーブ１５などが設置されている。
【０００６】
巻上機１４には、仮設エレベーター用の主索１６が巻き掛けられて下方に垂下しており、この主索１６の一端は、乗りかご１７に連結され、主索１６の他端は、そらせシーブ１５を介して釣合おもり１８に連結されている。また、昇降路１０には、乗りかご１７を案内するガイドレール１９と、釣合おもり１８を案内するガイドレール２０が設置されている。
【０００７】
従来、工事用エレベーターでは、建物の工事が進捗し上階が順次構築され、次の計画階に到達すると、図８に示すようにして、エレベーターの揚程を延長している。
【０００８】
図８（ａ）において、まず、工事用エレベーターの使用は一旦中断される。そして、乗りかご１７と釣合おもり１８を所定の位置に静止させておき、これら乗りかご１７と釣合おもり１８を吊持していた主索１６を巻上機１４およびそらせシーブ１５から取り外すことになる。その後、仮設機械室１２は解体される。
【０００９】
次に、図８（ｂ）に示すように、建築工事中の建物では、既に昇降路１０は次の計画階まで延びており、この計画階に仮設機械室１２を再設置するため、エレベーター制御盤１３、仮設エレベーター用の巻上機１４、そらせシーブ１５などの機器を揚重・搬送し、機械室用機器の再設置、制御配線の再敷設を行う。その後、乗りかご１７を最上階に揚重する。  
こうして仮設機械室１２を再設置してから、図８（ｃ）に示すように、再び、巻上機１４とそらせシーブ１５に主索１６巻き掛け、主索１２を昇降路１０に垂下し、その一端には乗りかご１７を、他端には釣合おもり１８をそれぞれ吊持する。
【先行技術文献】
【特許文献】
【００１０】
【特許文献１】特開平４−２４３７８６号公報
【特許文献２】特開平７−２２３７８７号公報
【発明の開示】
【発明が解決しようとする課題】
【００１１】
このように工事用エレベーターの揚程を延長する従来の方法では、主索の取り外し、旧仮設機械室の解体、巻上機、制御装置などの機器やの揚重、搬送、新仮設機械室の再設置、制御配線の再敷設、乗りかごの揚重、主索の再取り付けなど、非常に手間と時間のかかる作業となっており、多大な費用がかかる上に、揚程延長作業を行っている間は、エレベーターによるサービスは休止されるので、建物の建築工事の進行に重大な支障が生じる。
【００１２】
そこで、本発明の目的は、前記従来技術の有する問題点を解消し、建物建築の進捗に合わせて、昇降路の上方に工事用エレベーターの揚程を延長する場合に、仮設機械室の解体、揚重、搬送、再設置、制御配線の再設置といった大掛かりで煩雑な作業をなくして、効率よく、短時間に工事用エレベーターの揚程を延長できるようにした工事用エレベーターの揚程延長工法を提供することにある。
【課題を解決するための手段】
【００１３】
前記の目的を達成するために、本発明は、
工事中の建物に仮設された工事用エレベーターの揚程を前記建物の建築進捗に合わせて上方に延長する工事用エレベーターの揚程延長工法において、
最初の計画階に建物の建築進捗が達するまで、工事中の建物内に乗りかごが昇降する昇降路および前記乗りかごを案内するガイドレールを構築する工程と、
建築進捗が前記最初の計画階に到達した後、工事用エレベーターの機械室として、前記昇降路に設けた前記ガイドレールに案内されて当該昇降路を移動可能なかご枠に巻上機と制御盤が予め設置されたかご型移動機械室を吊り上げて前記最初の計画階に配置し、前記かご型移動機械室に設置された巻上機に乗りかごと釣合おもりを吊持する主索を巻き掛けて工事用エレベーターを仮設する工程と、
前記工事用エレベーターを使用しながら建物の建築を進め、建築進捗が次の計画階に達するまで、前記昇降路およびガイドレールを次の計画階まで延伸させる工程と、
建築進捗が次の計画階に到達した後、前記かご型移動機械室に設けた吊り元から前記乗りかごを吊持し、乗りかごと釣合おもりを吊持する主索を取り外してから、揚重装置を利用して前記かご型移動機械室を乗りかごとともに吊り上げて昇降路内を前記次の計画階まで移動させ、当該かご型移動機械室を前記次の計画階に再配置し、前記巻上機に乗りかごと釣合おもりを吊持する主索を巻き掛け前記工事用エレベーターを再仮設する工程と、
建物の建築進捗に応じて、計画階が順次高くなるごとに、前記昇降路の延伸工程と、前記かご型移動機械室の再仮設工程を繰り返す工程と、
からなることを特徴とするものである。
【図面の簡単な説明】
【００１４】
【図１】本発明による工事用エレベーターの揚程延長工法において、建物の最初の計画階に機械室を設置する工程の説明図。
【図２】本発明の第１実施形態による工事用エレベーターの揚程延長工法で用いられるかご型移動機械室をタワークレーンで吊った状態を示す斜視図。
【図３】本発明の第１実施形態による工事用エレベーターの揚程延長工法において、かご型移動機械室をガイドレールにそって移動可能に取り付けた状態を示す斜視図。
【図４】本発明の第１実施形態による工事用エレベーターの揚程延長工法において、次の計画階に揚程を延長する工程の説明図。
【図５】本発明の第１実施形態による工事用エレベーターの揚程延長工法において、次の計画階にかご型移動機械室を揚重するに際して乗りかごを吊持している状況を示す斜視図。
【図６】本発明の第２実施形態による工事用エレベーターの揚程延長工法で用いるかご型移動機械室を示す正面図。
【図７】本発明の第２実施形態による工事用エレベーターの揚程延長工法において、次の計画階に揚程を延長する工程の説明図。
【図８】従来の工事用エレベーターの揚程延長工法の説明図。
【発明を実施するための最良の形態】
【００１５】
以下、本発明による工事用エレベーターの揚程延長工法の実施形態について、添付の図面を参照しながら説明する。  
第１実施形態  
図１（ａ）は、本実施形態による工事用エレベーターの揚程延長工法が適用される工事用エレベーターが設置される建築中の建物を示す。この図１（ａ）において、参照番号１０は、工事中の建物に構築した工事用エレベーターの昇降路を示している。この図１（ａ）に示した建築段階では、第１の計画階１に建築進捗が到達すると、次のようにして、工事用エレベーターが設置される。
【００１６】
図１において、建物には、工事用エレベーター用の乗場が、Ｆ１、Ｆ２、Ｆ３、…Ｆｍ階まで設置され、Ｆ１階〜Ｆｍ階までがエレベーターのサービス階となっている。Ｆｍ階から上のＦｍ＋１階と最上階のＦｍ＋２階は、仮設機械室の設置が計画されている最初の計画階１であり、２つの階床分に相当する昇降路１０内の空間を仮設機械室の設置に利用する。
【００１７】
各エレベーター乗場Ｆ１、Ｆ２、…Ｆｍには、それぞれ乗場扉やかご呼び登録装置などの乗場機器１１が設置される。本実施形態の工事用エレベーターでは、次のような構成のかご型移動機械室３０が第１計画階１に仮設される。乗りかご１７は、最上階のＦｍ階まで揚重され、吊り元５２から吊持されている。
【００１８】
図２は、本実施形態のかご型移動機械室３０の構成を示す図である。このかご型移動機械室３０は、下梁２２と上梁２３と左右の縦枠２４によってかご枠が構成されている。このかご枠には、第１室２５と第２室２６からなる上下のかご室が支持され、いわゆるダブルデッキ型のかご型として構成されている。下段の第１室２５の床２７には、巻上機１４，そらせシーブなどの乗りかごを駆動する機械設備が設置されている。上段の第２室２６の床２８には、巻上機１４を制御する主制御盤１３などのエレベーターの制御機器が設置されている。
【００１９】
この第１実施形態では、第１室２５と第２室２６とはかご枠に固定されており、第１室２５の床２７、第２室２６の床２８は、対応する計画階のフロアレベルと一致するような間隔にあらかじめ設定されている。なお、第２室２６のかご上部の四隅には、タワークレーンで吊るために、玉掛ワイヤ２９を連結するためのＵ字ボルト３１が吊り金具として固定されている。参照番号３２は、建築現場で建築資材の揚重に用いているタワークレーンのブームから垂下しているワイヤーロープを示している。
【００２０】
かご型移動機械室３０は、タワークレーンなどの揚重機器を用いて吊り上げられ、第１計画階１の直上から昇降路１０に入れて、図１（ｂ）に示すように、第１計画階１に仮設される。
【００２１】
巻上機１４からは、仮設エレベーター用の主索１６が巻き掛けられて下方に垂下しており、この主索１６の一端は、乗りかご１７に連結され、主索１６の他端は、そらせシーブ１５を介して釣合おもり１８に連結されている。
【００２２】
昇降路１０には、乗りかご１７の昇降を案内するかご用ガイドレール１９と、釣合おもり１８を案内する釣合おもり用ガイドレール２０が昇降路に沿って設置されている。第１計画階１にかご型移動機械室３０が仮設設置される段階では、かご用ガイドレール１９および釣合おもり用ガイドレール２０の上端部は、かご型移動機械室３０の上端よりも上方に突き出るようにしておく。この際、図３に示されるように、上梁２３、下梁２２の両端部には、案内装置として、かご用ガイドレール１９に摺動自在に嵌合する滑りシュー５３を取り付けておく。
【００２３】
こうして仮設設置された工事用エレベーターは、建物の建築進捗が次の第２計画階まで到達するまで、作業員や資材の搬送に利用されることになる。
【００２４】
次に、図４（ａ）は、建物の建築進捗が進んで次の第２計画階２まで到達した状態を示す。この間、建築進捗と並行して、かご用ガイドレール１９と釣合おもり用のガイドレール２０の延伸もゴンドラ工法などにより進められている。第２計画階２の下部には、昇降路１０を雨水から保護するために雨養生５０を設置する。また、第１計画階１から第２計画階２の間の途中の階床には、乗場扉や、かご呼び登録装置などの乗場機器１１が設置される。
【００２５】
この段階では、かご用ガイドレール１９と釣合おもり用のガイドレール２０の上端部は、第２計画階２まで延伸している。この段階になって、それまで運転されていた工事用エレベーターの使用は中断され、以下のようにして、第２計画階２まで工事用エレベーターの揚程を延長する。
【００２６】
図５に示されるように、かご型移動機械室３０には、乗りかご１７を吊るための吊り元５４が設置される。この吊り元から吊りワイヤ５５を介して乗りかご１７を吊持できるようになっている。
【００２７】
そこで、図４（ａ）において、乗りかご１７を第１計画階１の下のＦｍ階に移動する作業を行う。その際に、図５に示されるように、かご型移動機械室３０の吊り元５４からからワイヤ５５を用いて乗りかご１７を吊持する。
【００２８】
その後、それまで乗りかご１７と釣合おもり１８を吊持していた主索１６を巻上機１４とそらせシーブ１５から取り外す。主索１６を取り外してからは、かご型移動機械室３０と乗りかご１７は一体的にかご用ガイドレール１９に沿って昇降路１０を円滑に移動できる状態になる。
【００２９】
そこで、タワークレーンでかご型移動機械室３０を吊り上げて、図４（ｂ）に示すように、第２計画階２まで揚重する。そして、図４（ｃ）において、第２計画階２の下の方の階Ｆn+1では、かご型移動機械室３０を載置させる受けビーム５６を昇降路１０に架け渡し、この受けビーム５６にタワークレーンで吊っていたかご型移動機械室３０を降ろして固定する。
【００３０】
こうしてかご型移動機械室３０を再設置と乗りかご１７の揚重が終わったら、図４（ｃ）に示すように、再び、巻上機１４とそらせシーブ１５に主索１６巻き掛け、主索１２を昇降路１０に垂下し、その一端には乗りかご１７を、他端には釣合おもり１８をそれぞれ吊持する。こうして、第２計画階２までのエレベーター揚程の延長が完了することになる。
【００３１】
建物に第３計画階、第４計画階、…、が計画されていれば、次の計画階に建築進捗が到達したときに、タワークレーンで吊り上げてかご型移動機械室３０をその計画階に移動させて、上述した第２計画階の場合と同じようにして、エレベーターの揚程を延長することになる。
【００３２】
以上のようにして、本実施形態による工事用エレベーターの揚程延長工法では、工事用エレベーターの機械室として乗りかご１７のかご用ガイドレール１９で案内されるダブルデッキ型のかご型移動機械室３０を利用しているので、次の計画階に機械室を仮設設置するときには、かご型移動機械室３０をタワークレーンで吊って次の計画階に移動させるだけであるので、機械室の解体作業、主制御盤１３、巻上機１４などの機械室用装置・設備の搬送、機械室の再組立、制御配線の再敷設などの非常に手間のかかる作業が一切なくなり、機械室の再設置をきわめて容易な作業で効率良く実施することができる。
【００３３】
しかも、乗りかごをかご型移動機械室３０と一緒にきわめて簡単な作業で揚重できるようになるため、主索の再取り付けに際して従来のように乗りかごの揚重、計画階の吊り元とから吊持という大掛かりな作業が必要なくなり、揚程延長の作業時間を格段に短縮し、費用を大幅に削減することができる。そして、揚程延長の工事のためのエレベーターのサービス中断期間を格段に短縮化することができるので、建物の建築進捗におおいに寄与することになる。
【００３４】
第２実施形態  
次に、本発明の第２実施形態による工事用エレベーターの揚程延長工法について、図６、図７を参照して説明する。
【００３５】
まず、図６は、第２実施形態で用いられるかご型移動機械室４０の構成を示す図である。このかご型移動機械室４０も、第１実施形態の図２に示したかご型移動機械室３０と同様に、いわゆるダブルデッキ型のかご型として構成されている。下段の第１室２５の床２７には、巻上機１４，そらせシーブなどの乗りかごを駆動する機械設備が設置されている。上段の第２室２６の床２８には、巻上機１４を制御する主制御盤１３などのエレベーターの制御機器が設置されている。
【００３６】
この第２実施形態では、第１室２５の床２７、第２室２６床２８の間隔を、対応する計画階のフロアレベルと合わせて調整できるように、次のような階間調整手段が設けられている。
【００３７】
かご枠を構成する縦枠２４には、それぞれ上下方向に延びるボールねじ軸３２が回転自在に支持されている。上梁２３の両端部には、ボールねじ軸３２をそれぞれ正逆両方向に回転駆動する駆動モータ３３が取り付けられている。ボールねじ軸３２には、上側ボールナット３４と、下側ボールナット３５とが螺合するようになっている。下側ボールナット３５は、第１室２５の床２７を支持する支持枠に保持され、上側ボールナット３４は、第２室２６の床２８を支持する支持枠に保持されている。そして、ボールねじ軸３２では、上側ボールナット３４が螺合しているねじ部と、下側ボールナット３５が螺合しているねじ部とでは互いに反対方向にねじ切りされた逆ねじとなっている。これにより、駆動モータ３３でボールねじ軸３２を正回転させると、第１室２５と第２室２６の上下方向の間隔を狭めることができる。これとは逆に、駆動モータ３３でボールねじ軸３２を逆回転させると、第１室２５と第２室２６の上下方向の間隔を広げることができるようになっている。
【００３８】
以下、第２実施形態による工事用エレベーターの揚程工法の工程について、図７を参照ながら説明する。
【００３９】
まず、図６（ａ）は、建物の建築進捗が進んで次の計画階２まで到達した段階を示す。この間、建築進捗と並行して、かご用ガイドレール１９と釣合おもり用のガイドレール２０の延伸もゴンドラ工法等により進められている。この第２計画階２の下部には、昇降路１０を雨水から保護するために雨養生５０を設置する。また、第１計画階１から第２計画階２の間の途中の階床には、乗場扉や、かご呼び登録装置などの乗場機器１１が設置される。
【００４０】
かご用ガイドレール１９と釣合おもり用のガイドレール２０の上端部は、さらに第２計画階２まで延伸している。この段階になって、それまで運転されていた工事用エレベーターの使用は中断され、以下のようにして、第２計画階２まで工事用エレベーターの揚程を第２延長する。
【００４１】
まず、図６（ａ）において、乗りかご１７を第１計画階１の下のＦｍ階に移動しておく。そして、図５のようにかご型移動機械室４０の吊り元５４から乗りかご１７を吊持した状態にしてから、それまで乗りかご１７と釣合おもり１８を吊持していた主索１６を巻上機１４とそらせシーブ１５から取り外す。主索１６を取り外してからは、かご型移動機械室４０は乗りかご１７と一緒に昇降路１０をかご用ガイドレール１９に沿って円滑に移動できる状態になる。
【００４２】
そこで、タワークレーンでかご型移動機械室４０を吊り上げて、図７（ｂ）に示すように、第２計画階２まで揚重する。その際、かご型移動機械室４０の吊り元５４から乗りかご１７を吊持し、かご型移動機械室４０と乗りかご１７を一緒に揚重するのは第１実施形態と同様である。
【００４３】
そして、第２計画階２の下の階Ｆn+1では、かご型移動機械室４０を載置させる受けビーム５６を昇降路１０に架け渡し、この受けビーム５６にタワークレーンで吊っていたかご型移動機械室４０を降ろして固定する。
【００４４】
この実施形態では、第１計画階１の階間と、第２計画階２での階間を較べると、第２計画階２の階間の方が広くなっており、かご型移動機械室４０を第２計画階２に設置するときに、第２計画階の上の階Ｆn+2のフロアレベルと、かご型移動機械室４０の第２室２６の床のレベルとが一致せずに、段差が生じてしまうことになる。
【００４５】
そこで、図６において、階間調整機構の駆動モータ３３によりボールねじ軸３２を逆方向に回転させ、第１室２５と第２室２６の間隔を拡げて第２階の階間長と一致させておく。
【００４６】
こうして間隔を調整してから、かご型移動機械室４０を第２計画階に再設置すると、段差を解消することができる。図７（ｃ）に示すように、再び、巻上機１４とそらせシーブ１５に主索１６巻き掛け、主索１２を昇降路１０に垂下し、その一端には乗りかご１７を、他端には釣合おもり１８をそれぞれ吊持する。こうして、第２計画階２までのエレベーター揚程の延長が完了することになる。
【００４７】
以上のように第２実施形態による工事用エレベーターの揚程延長工法では、第１実施形態と同様に、次の計画階に機械室を仮設設置するときには、かご型移動機械室３０をタワークレーンで吊って次の計画階に移動させるだけであるので、機械室の解体作業、主制御盤１３、巻上機１４などの機械室用装置・設備の搬送、機械室の再組立、制御配線の再敷設などの非常に手間のかかる作業がなくなり、さらに乗りかごをかご型移動機械室３０と一緒にきわめて簡単な作業で揚重できるようになるため、主索の再取り付けに際して従来のように乗りかごの揚重、計画階の吊り元とから吊持という大掛かりな作業きわめて容易な作業で効率良く実施することができ、揚程延長の作業時間を格段に短縮し、費用を大幅に削減することができる。
【００４８】
しかも、かご型移動機械室４０は、第１室２５と第２室２６の間隔を計画階の階間に合わせて調整できるので、かご型移動機械室４０を再設置したときに段差が生じることがない。このように計画階のフロアと、第１室２５および第２室２６との間に段差がないため、作業員は機械室の設備、機器を点検するときに安全に作業を行うことができる。
【００４９】
以上、本発明による工事用エレベーターの揚程延長工法について好適な実施形態を挙げて説明したが、本発明は、ダブルデッキ型のかご型移動機械室に限られず、移動機械室の床面積を広く確保できる場合には、シングルデッキ構造のかご型移動機械室を用いてもよい。
【符号の説明】
【００５０】
１０…昇降路、１１…乗場機器、１３…主制御盤、１４…巻上機、１５…そらせシーブ、１６…主索、１９…かご用ガイドレール、２０…釣合おもり用ガイドレール、２２…下梁、２３…上梁、２４…縦梁、２５…第１室、２６…第２室、３０…かご型移動機械室
【図１】
0005538471.tif 000002
【図２】
0005538471.tif 000003
【図３】
0005538471.tif 000004
【図４】
0005538471.tif 000005
【図５】
0005538471.tif 000006
【図６】
0005538471.tif 000007
【図７】
0005538471.tif 000008
【図８】
0005538471.tif 000009